(57)【要約】【課題】  アングルやチャンネル等の長尺体支持具に被覆材で被覆された配管を容易且つ確実に支持する配管支持構造を提供することにある。【解決手段】  配管支持用アタッチメント１０は、配管受け具との第１取付機構となる係止孔１１と、長尺体支持具との第２取付機構となる取付長孔１２と、長尺体支持具の長手方向へスライドを可能とする摺動機構となる規制部１３と、長尺体支持具と敷設された配管との間に挿入を可能とする挿入機構となる傾斜部１４と、を備える。【選択図】  図１
2020051603.tif 000002
【特許請求の範囲】
【請求項１】
長尺体支持具と配管用受け具との間に介在させる配管支持用アタッチメントであって、配管用受け具との第１取付機構を備えたことを特徴とする配管支持用アタッチメント。
【請求項２】
配管支持用アタッチメントが長尺体支持具との第２取付機構を備えたことを特徴とする請求項１記載の配管支持用アタッチメント。
【請求項３】
配管支持用アタッチメントが長尺体支持具の長手方向へのスライドを可能とする摺動機構を備えたことを特徴とする請求項１又は２記載の配管支持用アタッチメント。
【請求項４】
配管支持用アタッチメントが長尺体支持具と敷設された配管との間に挿入が可能となる挿入機構を備えたことを特徴とする請求項１，２又は３記載の配管支持用アタッチメント。
【請求項５】
配管用受け具が配管支持用アタッチメントに対して回動自在である第１取付機構を備えたことを特徴とする請求項１から４のいずれかに記載の配管支持用アタッチメント。
【請求項６】
配管支持用アタッチメントが長尺体支持具に対して回動自在である第２取付機構を備えたことを特徴とする請求項１から５のいずれかに記載の配管支持用アタッチメント。
【発明の詳細な説明】
【技術分野】
【０００１】
本願発明は、アングルやチャンネル等の長尺体支持具に、被覆材で被覆された配管（例えば、被覆銅管等）を支持する配管支持構造に関するものである。
【背景技術】
【０００２】
アングルやチャンネル等の長尺体支持具に、被覆材で被覆された配管（例えば、被覆銅管等）を支持する配管支持構造において、従来は配管の自重による「配管被覆の潰れ」を防ぐ目的として、長尺体支持具の配管支持箇所の配管に対して保温テープを巻き、結露防止の措置をしていた。しかし、作業者の技術レベルにより、施工が不安定になることや、巻き数が足りないと必要な保温厚が確保できず、結露等につながることもあった。
【０００３】
また、長尺体支持具（特に金属製であった場合）との接触が原因となる「配管被覆の破れ」を防ぐ目的として、塩ビ管の半割れ等（配管受け具）を用意し、長尺体支持具と配管との間に設けることで、長尺体支持具と配管被覆が接触することを原因（例えば、配管伸縮・偏荷重などでの摩擦・ひっかかり等）とする被覆の破れを避けるとともに、長尺体支持具の支持箇所の幅よりも長い幅の配管受け具にすることで、被覆材の受圧面積を大きく（長く）するような施工方法もある。しかし、長尺体支持具と配管受け具との固定が難しく、配管受け具が前後左右にずれてしまったり、配管受け具を現場で用意する際に切断加工等の手間が増える。
【０００４】
こうした状況に対して、特許文献１〜４に係る製品が開発された。
特許文献１及び２に係る製品は、配管敷設前に施工される先付け方式のものであるが、図１０に図示するように、その固定方法は、配管受け具に相当する結露防止プレート１０を略Ｕ字形状のプレート保持具２０に取り付けるとともに、そのプレート保持具２０はその底部に突設した係止突起２６を長尺体支持具Ｒに形成された長孔Ｒ１に挿入固定することで、長尺体支持具に配管を固定する構造となっている。
【０００５】
特許文献３及び４に係る製品は、配管敷設後に施工される後付け方式のものであるが、図１１に図示するように、その固定方法は、長尺体支持具（配管支持具）と配管の間に配管受け具（配管用支持板）を差し込み、配管の自重を利用して長尺体支持具（配管支持具）と配管受け具（配管用支持板）の突起（位置ズレ防止リブ）を係止させることで、長尺体支持具に配管を固定する構造となっている。
【先行技術文献】
【特許文献】
【０００６】
【特許文献１】特開２０１０−２６６００７号公報
【特許文献２】意匠登録第１３８１１３７号公報
【特許文献３】意匠登録第１５９０６８８号公報
【特許文献４】意匠登録第１５９０６８９号公報
【発明の概要】
【発明が解決しようとする課題】
【０００７】
上記特許文献１及び２に係る製品については、次のような課題がある。
（１）長尺体支持具Ｒに形成された長孔Ｒ１の長孔径の範囲（指定された長孔径の範囲）でなければ固定できない。また、係止突起２６を長孔Ｒ１に挿入固定する嵌め込み方式のため、負荷を掛けると外れる可能性もある（＝ボルト・ナット等で確実に固定する方法がない）。さらには、この係止突起２６がプレート保持具２０の底部にあるため、配管敷設後の取り付け（後付け）には適さない（無理に後付けしようとすると、配管が大きく湾曲することになる）。
（２）配管を「雪だるま」のように保持するが（特許文献１図９を参照）、配管受け具に相当する結露防止プレート１０は緩やかな曲面しか形成されていないため、配管に合わせた曲面をプレート保持具２０側で作る必要がある。そして、所定の配管径を逸脱した場合、隙間ができる又は大きく膨らんでしまう（施工できない）ため、プレート保持具２０をその径に対応させる必要がある。
（３）確実な配管の保持には、プレート保持具２０の頭頂部に専用の結束具（緊締具２８）である専用品を用意する必要があり、一般的な支持具（Ｕバンドや樹脂製自在バンド等）を使用できない。
【０００８】
上記特許文献３及び４に係る製品については、次のような課題がある。
（１）配管の自重を利用して長尺体支持具（配管支持具）と配管受け具（配管用支持板）の突起（位置ズレ防止リブ）を係止させるものであるため、配管敷設前の取り付け（先付け）ができない。すなわち、配管無しに配管受け具（配管用支持板）を単体で長尺体支持具（配管支持具）に設置することができない。
（２）敷設する配管は必ずしも直線ではないため（例えば、コイル状のものを現場で伸ばす場合がある）、施工箇所全てに均等に配管の自重がかかるわけではなく、かからない箇所では脱落する危険性がある。
（３）配管受け具（配管用支持板）を長尺体支持具（配管支持具）へ直接に固定する方法がないため、稼働後の配管の伸縮等で脱落する可能性がある。
【０００９】
これに対して、本願発明者は、上記特許文献１乃至特許文献４に係る製品の課題を解決して、アングルやチャンネル等の長尺体支持具に被覆材で被覆された配管を容易且つ確実に支持する配管支持構造を提供すべく鋭意試験・研究を行い、本願発明を完成させた。
【課題を解決するための手段】
【００１０】
本願発明の第１の発明は、長尺体支持具と配管用受け具との間に介在させる配管支持用アタッチメントであって、配管用受け具との第１取付機構を備えたことを特徴とするものである。
第２の発明は、配管支持用アタッチメントが長尺体支持具との第２取付機構を備えたことを特徴とする同配管支持用アタッチメントである。
第３の発明は、配管支持用アタッチメントが長尺体支持具の長手方向へのスライドを可能とする摺動機構を備えたことを特徴とする同配管支持用アタッチメントである。
第４の発明は、配管支持用アタッチメントが長尺体支持具と敷設された配管との間に挿入が可能となる挿入機構を備えたことを特徴とする同配管支持用アタッチメントである。
第５の発明は、配管用受け具が配管支持用アタッチメントに対して回動自在である第１取付機構を備えたことを特徴とする同配管支持用アタッチメントである。
第６の発明は、配管支持用アタッチメントが長尺体支持具に対して回動自在である第２取付機構を備えたことを特徴とする同配管支持用アタッチメントである。
【発明の効果】
【００１１】
上記した本願発明によれば、上記特許文献１及び２に係る製品に比較して、次のような効果を有する。
（１）本願発明の配管支持用アタッチメント（以下、「アタッチメント」ともいう）は、アタッチメント単体で長尺体支持具に固定できる取付長孔（第２取付機構）を有しているため、ボルト・ナット等で確実な固定ができる。
（２）長尺体支持具への固定前には、長尺体支持具長手方向へスライド調整が可能である。
（３）予め長孔が開いている長尺体支持具（例えば、穴あきアングル）の場合、長尺体支持具に開いた長孔とアタッチメントの取付長孔どうし（第２取付機構）がどこでもボルト等の挿入可能なため（例えば、図５参照）、施工位置に制約がない。
（４）アタッチメントに取り付ける配管用受け具には、配管に沿った曲面が形成されているため、配管径を問わず使用できる。
（５）配管用受け具のみを変更するだけで、多種の配管サイズに対応できる。
【００１２】
上記した本願発明によれば、上記特許文献３及び４に係る製品に比較して、次のような効果を有する。
（１）本願発明の配管支持用アタッチメントは、アタッチメント単体で長尺体支持具に固定できる取付長孔（第２取付機構）を有しているため、ボルト・ナット等で確実な固定ができる。
（２）一般的な支持金具（例えば、ＵバンドやＵボルト等）で施工する際には、アタッチメントごと保持するため、確実な固定が可能となる。また、結束バンド等での簡易的な固定も可能となる。
【００１３】
上記した本願発明によれば、本願発明に特有の次のような効果を有する。
（１）配管用受け具の係止突起（第１取付機構）を軸とした、配管用受け具単体で回転が可能となる。また、第２取付機構での回転を可能とすることもできる。
（２）それによって、長尺体支持具と配管とが必ずしも直交である必要がない（特許文献１乃至特許文献４に係る製品は直交でしか施工ができない）。
【図面の簡単な説明】
【００１４】
【図１】本願発明の第１実施形態を示す説明図（その１）。
【図２】本願発明の第１実施形態を示す説明図（その２）。
【図３】本願発明の第１実施形態を示す説明図（その３）。
【図４−１】本願発明の第１実施形態を示す説明図（その４）。
【図４−２】本願発明の第１実施形態を示す説明図（その５）。
【図５】本願発明の第１実施形態を示す説明図（その６）。
【図６】本願発明の第１実施形態を示す説明図（その７）。
【図７】本願発明の第１実施形態を示す説明図（その８）。
【図８】本願発明の第２実施形態を示す説明図（その１）。
【図９】本願発明の第２実施形態を示す説明図（その２）。
【図１０】特許文献１及び２に係る製品を示す説明図。
【図１１】特許文献３及び４に係る製品を示す説明図。
【発明を実施するための形態】
【００１５】
本願発明の実施形態（一例）を図面に基づいて説明する。なお、図示された実施形態は本願発明の一例で有り、本願発明はこれらに限定されるものではない。
【００１６】
図１乃至図６は、本願発明の第１実施形態を示す説明図である。
図１に図示するように、本願発明の配管支持用アタッチメント１０（以下、「アタッチメント１０」ともいう）は、配管受け具との第１取付機構となる係止孔１１と、長尺体支持具との第２取付機構となる取付長孔１２と、長尺体支持具の長手方向へスライドを可能とする摺動機構となる規制部１３と、長尺体支持具と敷設された配管との間に挿入を可能とする挿入機構となる傾斜部１４と、を備える。
【００１７】
まず、第１取付機構について説明すると、図２に図示するように、配管用受け具２０の下面側に設けられた略Ｔ字型の係止突起２１をアタッチメント１０の係止孔１１へ差し込むことにより、係止孔１１と係止突起２１とが係止されて、アタッチメント１０に配管用受け具２０が取り付けられた状態になる。この時、係止突起２１が軸となり、配管用受け具２０がアタッチメント１０に対して回転（回動）可能となるので、配管（図示省略）の敷設方向に柔軟に対応できる。なお、第１取付機構は、図示のものに限定されるものではない。
【００１８】
次に、第２取付機構について説明すると、図３に図示するように、長尺体支持具であるアングル３０にアタッチメント１０を組み付けて、アタッチメント１０の取付長孔１２とアングル３０に設けられている連結長孔３１をボルト・ナット等の締結具６０で接続することにより、アングル３０にアタッチメント１０が取り付けられた状態になる。この場合、配管用受け具２０と配管５０は別の締結具（例えば、結束バンド７０，７１等）で固定すればよい。
【００１９】
また、第２取付機構についてその他の態様を説明すると、図４−１に図示するように、長尺体支持具であるアングル３０にアタッチメント１０を組み付けて、アタッチメント１０の取付長孔１２とアングル３０に設けられている連結長孔３１を樹脂製バンド６１やＵボルト６２（又はＵバンド）等を使用して接続する。これにより、アングル３０とアタッチメント１０とだけでなく、配管用受け具２０及び配管５０も一括して固定できることになる。
【００２０】
なお、図４−２に図示するように、アングル３０とアタッチメント１０の接続は、結束バンド７０でもよいし、図示省略するが、ボルト・ナットやテープ巻きなどであってもよい。
【００２１】
更に、第２取付機構についてその他の態様を説明すると、図５に図示（アタッチメント１０を底部側から図示）するように、アングル３０を一部の規制部１３’，１３’で両側から挟むことでアタッチメント１０がアングル３０に対して回転（回動）可能となっている。これにより、配管（図示省略）の敷設方向に柔軟に対応でき、図２に図示する第１取付機構の回転（回動）と相伴うことで、より柔軟性が高まる。なお、第２取付機構は、図３〜図５に図示されたものに限定されるものではない。
【００２２】
次に、摺動機構について説明すると、図６に図示するように、アタッチメント１０に設けられた規制部１３がアングル３０の長手方向の両端部３２に当接することにより、アタッチメント１０のアングル３０に対する可動範囲が規制されて、アングル３０の長手方向へのスライドを可能とすることになる。なお、摺動機構は、図示のものに限定されるものではない。また、摺動機構だけではなく、アタッチメント１０をアングル３０に対して仮止めできる仮止め機構を設けてもよい。仮止め機構としては、図示省略するが、アングル３０の幅寸法に合致した寸法に調整した一対の規制部１３，１３で挟み付けたり、規制部１３に爪を設けたり、アングル３０の連結長孔３１に嵌合する突起等を設けることにより達成できるものである。
【００２３】
また、挿入機構について説明すると、図７に図示するように、長尺体支持具であるアングル３０と敷設された配管５０との間にアタッチメント１０の傾斜部１４を当てて、アタッチメント１０を押し込むことにより挿入が可能となる（＝後付け施工が可能となる）。
【００２４】
図８は、本願発明の第２実施形態を示す説明図である。
図８に図示するアタッチメント１０’が、図１に図示するアタッチメント１０と異なるのは、両先端部側に設けられる規制部１３及び傾斜部１４を内側へセットバックしている点にある。これにより、両先端部にコーナー部１５を新たに設けることができて、図９に図示するようにこのコーナー部１５を利用して配管５０及び配管用受け具２０をバンド等でたすき掛けに固定することができるようになる。また、穿孔１９を形成し、これを利用してバンド等で固定してもよい（第１実施形態において同じ）。
【００２５】
なお、図示省略するが、敷設する配管５０，５０，…の間隔に応じて取付長孔１２を備えないものや取付長孔１２を欠け孔にしたり、なくしたりした短尺形状のアタッチメントにしてもよい（アタッチメントそのものを縮小してもよいし、中心部分のみを残したものであってもよい）。
【産業上の利用可能性】
【００２６】
本願発明に係る配管支持用アタッチメントは、アングルやチャンネル等の長尺体支持具に、被覆材で被覆された配管（例えば、被覆銅管等）を支持する配管支持構造として広く利用できるものである。
【符号の説明】
【００２７】
１０  配管支持用アタッチメント（アタッチメント）
１１  係止孔（第１取付機構）
１２  取付長孔（第２取付機構）
１３  規制部（摺動機構）
１４  傾斜部（挿入機構）
１５  コーナー部
１９  穿孔
２０  配管用受け具
２１  係止突起（第１取付機構）
３０  アングル（長尺体支持具）
３１  連結長孔（第２取付機構）
３２  両端部
５０  配管
６０  締結具（ボルト・ナット等）
６１  樹脂製バンド
６２  Ｕボルト
７０  結束バンド
７１  結束バンド
【図１】
2020051603.tif 000003
【図２】
2020051603.tif 000004
【図３】
2020051603.tif 000005
【図４−１】
2020051603.tif 000006
【図４−２】
2020051603.tif 000007
【図５】
2020051603.tif 000008
【図６】
2020051603.tif 000009
【図７】
2020051603.tif 000010
【図８】
2020051603.tif 000011
【図９】
2020051603.tif 000012
【図１０】
2020051603.tif 000013
【図１１】
2020051603.tif 000014